(57)【要約】【課題】  耐久性が高い折りたたみ式の構造体を提供する。【解決手段】  折りたたみ式の構造体は、中央でに分割されるとともに折りたたみ可能な状態で枢着されたメインフレームを備える。メインフレームと平行な位置関係に配置され、メインフレームの傾き変化と連動して傾きが変化するサブフレームを備える。サブフレームそれぞれに枢着され、下方向に延びる上筒部と、上筒部と上下方向の位置関係を変動させることが可能な下筒部とを有する脚柱を備える。上筒部は、下部にキャスターが固定され、上下方向に延びる長穴状の孔部を有し、孔部に挿入されたピンの、孔部の上下方向の動きに対応して、下筒部は上下方向に移動し、キャスターと下筒部の下部との上下方向の位置関係が変動し、ピンは、サブフレームに接触し、サブフレームの傾き状態に対応して、上下方向に移動する。【選択図】図３
2012081237.tif 000002
【特許請求の範囲】
【請求項１】
中央で二分割されるとともに折りたたみ可能な状態で枢着されたメインフレームと、
前記メインフレームと平行な位置関係に配置され、前記メインフレームの傾き変化と連動して傾きが変化するサブフレームと、
前記サブフレームそれぞれに枢着され、下方向に延びる上筒部と、前記上筒部と上下方向の位置関係を変動させることが可能な下筒部とを有する脚柱を備え、
前記上筒部は下部にキャスターが固定され、上下方向に延びる長穴状の孔部を有し、
前記孔部に挿入されたピンの、前記孔部の上下方向の動きに対応して、前記下筒部は上下方向に移動し、前記キャスターと前記下筒部の下部との上下方向の位置関係が変動し、
前記ピンは、前記サブフレームに接触し、前記サブフレームの傾きの変化に対応して、上下方向に移動することを特徴とする折りたたみ式の構造体。
【請求項２】
前記上筒部は、前記ピンが上方向に移動するように付勢するバネを有し、
前記メインフレームのそれぞれが側面から見て一直線上に配置された床面展開状態においては、前記ピンと前記下筒部は前記サブフレームによって押し下げられ、前記下筒部の下部が接地し、
前記床面展開状態が解除された時には、前記ピンと前記下筒部は前記バネの付勢力によって上方向に移動し、前記キャスターが接地することを特徴とする請求項１に記載の構造体。
【発明の詳細な説明】
【技術分野】
【０００１】  本発明は、キャスターとスタンド用脚柱を有し、分割されるとともに折りたたみ可能な構造体における、キャスターおよびスタンドの高さ調節機能の構造に関するものである。
【背景技術】
【０００２】  折りたたみ式の構造体は、折りたたみ時には脚柱に設けられたキャスターのみで床面に接地し、キャスターの滑動により移動を容易にする。【０００３】  反面、展開時にキャスターのみで床面に接地すると、その回動により揺れが生じ、折りたたみ式構造体を安定して支えることができない。そのため、展開時には脚柱に設けられたスタンドのみで床面に接地し、その折りたたみ式構造体を安定して支える方法が採られている。【０００４】  つまり、折りたたみ式の構造体は、折りたたみ時には脚柱に設けられたキャスターの設置位置をスタンドの設置位置より相対的に低く設定し、一方展開時においては、逆にスタンドの設置位置をキャスターの設置位置より相対的に低く設定することになる。【０００５】  そこで従来においては、実公平４−４９９４５にあるとおり、下記の技術的手段を講じている。【０００６】  （ａ）中央で２分割されると共に折たたみ可能に枢着された天板ないし床面を設ける。【０００７】  （ｂ）それぞれの分割片に下面対向位置で上端側が枢着されると共に下端側で外方に延びる延出管部を介して接地側にキヤスターを設けた外筒部と、該外筒部内に嵌挿され上下方向に摺動可能なスタンド用の内管部とを有する脚柱を設ける。【０００８】  （ｃ）前記天板中央の枢着位置から垂下する二重管構造の伸縮垂管と、該伸縮垂管の内管に下端が枢着され上端が外側に漸次傾斜しながら立ち上がり天板側へ枢着される左右一対のステー部材と、上記伸縮垂管の外管に内端が枢着されると共に外端が脚柱の中途部に枢着される左右一対のリンク部材とからなる折畳機構を設ける。【０００９】  （ｄ）上記ステー部材の中途部に上端が枢着され、下端が前記内管部に枢着される作動杆状部材を設ける。【００１０】  （ｅ）該作動杆状部材が天板の折畳乃至展開時に内管部を上下方向に引上げ又は押下げるべく外筒部で前記ステー部材の枢着位置より下方に配置された摺動孔を設ける。
【先行技術文献】
【特許文献】
【００１１】
【特許文献１】  実公平４−４９９４５
【発明の概要】
【発明が解決しようとする課題】
【００１２】  しかしながら、上記構成の折りたたみ式構造体においては、折りたたみ機構の一部たるリンク部材と、天板の折たたみ時または展開時に上下方向に引上げ又は押下げられる内管部に介在する作動杆状部材が設けられていることから構造が複雑になる。【００１３】  そのため、繰り返しの使用による作動杆状部材の経年劣化、乃至外的な衝撃等による作動杆状部材の破損により、スタンド用内管部の摺動動作不良、および折りたたみ動作不良を引き起こすおそれがある。【００１４】  また、製品化の際には製造工程も複雑になるという問題点を有する。【００１５】  従って、本発明の目的は耐久性の高い折りたたみ式の構造体を提供することである。
【課題を解決するための手段】
【００１６】  本発明にかかる折りたたみ式の構造体は、中央で二分割されるとともに折りたたみ可能な状態で枢着されたメインフレームと、メインフレームと平行な位置関係に配置され、メインフレームの傾き変化と連動して傾きが変化するサブフレームと、サブフレームそれぞれに枢着され、下方向に延びる上筒部と、上筒部と上下方向の位置関係を変動させることが可能な下筒部とを有する脚柱とを備え、上筒部は、下部にキャスターが固定され、上下方向に延びる長穴状の孔部を有し、孔部に挿入されたピンの孔部の上下方向の動きに対応して、下筒部は上下方向に移動し、キャスターと下筒部の下部との上下方向の位置関係が変動し、ピンは、サブフレームに接触し、サブフレームの傾き状態に対応して、上下方向に移動する。
【発明の効果】
【００１７】  本発案は、上記課題を解決するために、構造体の折りたたみ時もしくは展開時にそのメインフレームの傾き変化（傾動）に連動して、スタンド用の下筒部（内筒管部）を上下それぞれの方向に引き上げる、または押し下げるために、回転動作によりメインフレームの傾き変化を下筒部に伝達する作動杆状部材を介さないで、上下方向動作でメインフレームの傾き変化を下筒部に伝達するピン突起を用い、よりシンプルな機構を実現し確実な動作を提供することにより、上記課題を解決するものである。【００１８】  以上説明したとおり、本発明によれば、折りたたみ式の構造体において、床面折りたたみ乃至展開時に、リンク部材であるサブフレームと脚柱との枢着位置を中心にサブフレームの傾きが変化し、かかる傾き変化に伴ってピン（ピン状突起）と下筒部（内筒管部）が上下方向へ移動する（昇降動作）。【００１９】  この昇降動作により、下筒部（内筒管部）が所定長だけ外筒管部内を昇降摺動する。【００２０】  この際にリンク部材であるサブフレームとピンが直接接触した状態で下筒部（内筒管部）が昇降動作するので、他の補助的な部品の作用を必要とすることがない。そのため補助部品の経年劣化乃至外的衝撃による破損による、折りたたみ乃至展開時の動作不良およびスタンド脚の上下動における動作不良の発生の心配がなく、製造工程での作業も容易となる。【００２１】  さらに、静置した使用状態においては脚注および中央脚注の接地面が確実に接地するので、キャスター乃至車輪の回動に影響されることが無く、安定した展開状態を保持することができる。
【図面の簡単な説明】
【００２２】
【図１】本実施形態における折りたたみ式ベッドの床面展開状態を示す側面図と正面図と上面図である。
【図２】床面展開状態から、折りたたみ状態に変化する過程を示す側面図である。
【図３】サブフレーム及び脚柱を示す側面図で、脚柱内のバネを含む図である。
【発明を実施するための形態】
【００２３】  以下に、この発明を折りたたみ式ベッドに適用した場合の好適一実施例を図面に基づいて説明する。
【００２４】  第１図乃至第２図に示す折りたたみ式ベッド１は、同形同大に２分割されたベッド床面を構成する一対の分割片２、３と、床面支持メインフレーム１０、２０とを有している。
【００２５】  これらのメインフレーム１０、２０は、間に設けられた枢軸プレート１５に回転自在に連結されている。メインフレーム１０、２０、枢軸プレート１５の上に、分割片２、３が配置される。
【００２６】  枢軸プレート１５には垂下する中央脚柱８０が装着されている。中央脚柱８０は、メインフレーム１０、２０が側面から見て一直線上の配置された床面展開状態において、接地面に接触している（接地している、図２（ａ）参照）。枢軸プレート１５の下方には枢軸プレート８３が配置され、枢軸プレート８３は、中央脚柱８０と固定される。
【００２７】  分割片２、３及び床面支持メインフレーム１０、２０は上記枢軸プレート１５に設けられた枢着点１６、１７を支点として折りたたみ機構を介して折りたたみ乃至展開されるようになっている。
【００２８】  本発明で折りたたみ機構は、メインフレーム１０、２０に枢着された、キャスター５０、６０を装着した略Ｌ状の脚柱３０、４０と、枢軸プレート１５に装着された中央脚柱８０、及びサブフレーム９０、１００とからなっている。サブフレーム９０、１００は、メインフレーム１０、２０と平行な位置関係に配置され、メインフレーム１０、２０の傾き変化と連動してサブフレーム９０、１００の傾きも変化する。
【００２９】  床面支持メインフレーム１０の枢軸プレート１５と対向する側の端部は、枢着点１６で、回転自在に枢軸プレート１５と枢着される。
【００３０】  床面支持メインフレーム２０の枢軸プレート１５と対向する側の端部は、枢着点１７で、回転自在に枢軸プレート１５と枢着される。
【００３１】  床面支持メインフレーム１０の枢軸プレート１５と対向しない側の端部は、枢着点１８で、回転自在に、下方に延びる脚柱３０の上端と枢着される。
【００３２】  床面支持メインフレーム２０の枢軸プレート１５と対向しない側の端部は、枢着点１９で、回転自在に、下方に延びる脚柱４０の上端と枢着される。
【００３３】  サブフレーム９０の枢軸プレート８３と対向する側の端部は、枢着点１６の下方に位置する枢着点８１で、回転自在に枢軸プレート８３と枢着される。
【００３４】  サブフレーム１００の枢軸プレート８３と対向する側の端部は、枢着点１７の下方に位置する枢着点８２で、回転自在に枢軸プレート８３と枢着される。
【００３５】  サブフレーム９０の枢軸プレート８３と対向しない側の端部は、枢着点１８の下方に位置する枢着点３１で、回転自在に脚柱３０と枢着される。
【００３６】  サブフレーム１００の枢軸プレート８３と対向しない側の端部は、枢着点１９の下方に位置する枢着点４１で、回転自在に脚柱４０と枢着される。
【００３７】  枢着点１６、１８、３１、８１は、側面から見て、床面展開状態で矩形形状を形成し、床面展開状態が解除されて折りたたみ状態になるまでは平行四辺形の形状を形成し、折りたたみ状態では上下方向に平行な一直線上に並ぶ。
【００３８】  枢着点１７、１９、４１、８２は、側面から見て、床面展開状態で矩形形状を形成し、床面展開状態が解除されて折りたたみ状態になるまでは平行四辺形の形状を形成し、折りたたみ状態では上下方向に平行な一直線上に並ぶ。
【００３９】  また前記略Ｌ状脚柱３０、４０にはそれぞれキャスター５０、６０が装着されており、床面支持メインフレーム１０、２０の折りたたみ、展開動作に連動して脚柱３０、４０が滑動する。
【００４０】  第３図で一層明瞭な如く、脚柱３０、４０は垂下管部３０Ａ、４０Ａと、該垂下管部３０Ａ、４０Ａの下端から直交して外側方向に延びる延出管部３０Ｂ、４０Ｂとからなっている。
【００４１】  このように構成された垂下管部３０Ａ、４０Ａは、外筒管部１２０と、該外筒管部１２０に嵌挿された内筒管部７０とからなる２重管構造となっている。
【００４２】  即ち、外筒管部１２０は接地側が開口した中空筒状のパイプ材からなり、その中空部内に内筒管部７０が上下方向に摺動可能に嵌込まれている。
【００４３】  この内筒管部７０の接地側には、上下方向に微調整可能なシュー部７１が設けられている。すなわち、脚柱４０は、後述するピン状突起（ピン）１１０の上下方向の移動に伴って上下方向に動かない上筒部（外筒管部１２０、延出管部４０Ｂ、キャスター６０）と、ピン状突起１１０の上下方向の移動に伴って上下方向に動く下筒部（内筒管部７０、シュー部７１）とで構成され、脚柱３０も同様の上筒部と下筒部で構成される。
【００４４】  該シュー部７１は樹脂材からなり、その上端には調整ネジ７２が固着され、、内筒管部７０の下端内部に固設されたナットＮに螺着されている。
【００４５】  従って、調整ネジ７２を回し上下方向に螺進退することによりシュー部７１の接地位置を微調整することができる。
【００４６】  また、外筒管部１２０には壁面に上下方向に延びる摺動孔（上下方向に延びる長穴状の孔部）１３０が穿設されている。
【００４７】  このような脚柱３０、４０の内筒管部７０には折りたたみ機構のサブフレーム９０、１００を載荷するピン状突起１１０が接着されている。ピン状突起１１０は、サブフレーム９０、１００の載荷状態に連動して外筒管部１２０に穿設された摺動孔１３０内を上下に移動し、内筒管部７０を昇降させる。
【００４８】  即ち、第３図で明瞭な如く、ピン状突起１１０は、外筒管部１２０に上下に長穴状に穿設された摺動孔１３０を介して内筒管部７０の上方に略直角に貫通して接着されている。言い換えると、ピン状突起１１０は、上下方向に移動可能な状態で、摺動孔１３０に挿入される。バネＺは、一方の端部（上端部）が上筒部を構成する外筒管部１２０の上部に取り付けられ、他方の端部（下端部）がピン状突起１１０が装着された内筒管部７０の上端に取り付けられる。
【００４９】  一方、サブフレーム９０、１００は脚柱３０、４０の外側寄りの中途部に枢着されており、枢着点３１、４１を回動支点としてサブフレーム９０、１００の傾きを変えることができる。その傾き変化（傾動）は、脚柱３０、４０の上端部に枢着された床面乃至床面支持メインフレーム１０、２０の枢軸プレート１５側が折りたたみ時に上昇し、展開時に下降する傾き変化に連動する。
【００５０】  従って、床面の折りたたみ乃至展開動作に連動してサブフレーム９０、１００が載荷するピン状突起１１０を介して内筒管部７０を昇降させ垂下管部３０Ａ、４０Ａを伸縮させることができる。
【００５１】  一方、延出管部３０Ｂ、４０Ｂの下面には、キャスター５０、６０の取付部が固着され滑動自在となっている。
【００５２】  このキャスター５０、６０は、下端が前記垂下管部３０Ａ、４０Ａの下端となるシュー部７１より床面展開時は高く、床面折りたたみ時は低くなるようにバネＺのバネ定数や各部の寸法や重さが決定される。
【００５３】  第１図（ａ）及び第２図（ａ）の床面展開状態において、中央脚柱８０を、該中央脚柱に連設された持ち手等を介して人為的に上昇させると分割片２、３及び床面支持メインフレーム１０、２０の対向端がそれら相互の枢軸点１６、１７を関節点として開く。
【００５４】  それに追従作動するサブフレーム９０、１００と枢軸プレート８３との枢着８１、８２の位置がサブフレーム９０、１００の枢着点３１、４１の水平位置を上側に超えると、図示しないバネの弾力で床面乃至床面支持メインフレーム１０、２０相互の対向端を上昇させる方向、即ち該床面を折りたたむ方向に作用する（第２図（ｂ）参照）。
【００５５】  また、上記床面乃至床面支持メインフレーム１０、２０の折りたたみ動作に関連してサブフレーム９０、１００の傾きが変化することから、各脚柱３０、４０も垂下方向を保ったまま相互に接近方向に関連移動して起立平行状に折りたたまれる（第２図（ｃ）参照）。
【００５６】  この折りたたみ過程において脚柱３０、４０は第２図（ａ）及び第２図（ｂ）で示す如く展開状態の直立姿勢を保ったまま互いに近づく方向に滑動し、第２図（ｃ）に示す如く折りたたみ状態でも直立姿勢を形成する。
【００５７】  次に、垂下管部３０Ａ、４０Ａの作用を説明すると、ベッド展開状態（床面展開状態）において、サブフレーム９０、１００が載荷した（押し下げた）ピン状突起１１０を介して内筒管部７０は最低下降位置に変位（伸長）するので、シュー部７１は、キャスター５０、６０よりも低位置となり、この垂下管部３０Ａ、４０Ａと中央脚柱８０でベッドを支持することになる。
【００５８】  また、第３図で明瞭な如く、垂下管部３０Ａ、４０Ａを構成する外筒管部１２０の内部、内筒管部７０の上端にはバネＺが挿着されている。このバネＺの作用により、ベッド折りたたみ時にはサブフレーム９０、１００の傾き変化に応じて内筒管部７０が最高上昇位置に自動的に変位（短縮）するので、キヤスター５０、６０がシュー部７１より低位置となり、キャスター５０、６０だけでベッドを支持することになる。
【００５９】  また、垂下管部３０Ａ、４０Ａの内筒管部７０はキャスター５０、６０に対し相対的にその接地位置が昇降する。
【００６０】  また、床面が折りたたみ始められるとシュー部７１がただちに接地位置から上昇し、キャスターが接地して滑動に移ることができる。
【００６１】  次に、本実施形態の作用と効果を詳述する。
【００６２】  バネＺは、ピン状突起１１０が上方向に移動するようにピン状突起１１０を付勢する（引っ張る）。
【００６３】  ただし、メインフレーム１０、２０が側面から見て一直線上の配置された床面展開状態においては、ピン状突起１１０と下筒部（内筒管部７０、シュー部７１）は、サブフレーム９０、１００の自重によって押し下げられ、これにより、シュー部７１がキャスター５０、６０など上筒部を構成する部材よりも低くなり、接地面と接触する（接地する）。このとき、バネＺは、ピン状突起１１０に引っ張られて伸びた状態になる。シュー部７１が接地しているため、折りたたみ式ベッド１は、接地面上を動きにくい（または動かない）状態にされる。
【００６４】  使用者が中央脚柱８０を持ち上げるなどしてメインフレーム１０、２０の内側部分を持ち上げて床面展開状態を解除させると、ピン状突起１１０のサブフレーム９０、１００によって押し下げられていた状態が解除され、ピン状突起１１０はバネＺの付勢力（縮む方向の引っ張り力）によって上方に移動する。ピン状突起１１０の上方移動に伴って、下筒部（内筒管部７０、シュー部７１）も上方に移動し、これにより、上筒部を構成するキャスター５０、６０が、シュー部７１よりも低くなり、接地面と接触する（接地する）。キャスター５０、６０が接地しているため、折りたたみ式ベッド１は、接地面上を動きやすい状態（滑動自在な状態）にされる。
【００６５】  メインフレーム１０、２０が平行な位置関係で対向する折りたたみ状態（図２（ｃ）参照）からは、メインフレーム１０、２０の外側部分を広げるようにキャスター５０、６０を移動させると、図２（ｂ）の状態を介して、床面展開状態（図２（ａ）参照）にされる。床面展開状態になるまでは、キャスター５０、６０が接地しているため、これらが接地面上を滑ってメインフレーム１０、２０の傾きを変えることが出来る。床面展開状態においては、シュー部７１が接地するため、接地面上を折りたたみ式ベッド１が動きにくい（または動かない）状態にされる。
【００６６】  本実施形態では、かかる床面展開状態におけるシュー部７１の接地と、折りたたみ状態など床面展開状態以外の時のキャスター５０、６０の接地との切り替えを、メインフレーム１０、２０（サブフレーム９０、１００）の傾きの変化に伴って上下方向に移動するピン状突起１１０を介して行う。ピン状突起１１０は、サブフレーム９０、１００に接するため、メインフレーム１０、２０に連動したサブフレーム９０、１００の傾きに応じて、直接的に上下方向に移動する。このため、メインフレーム１０、２０の傾き変化をピン状突起１１０に伝達するための回転部材（作動杆状部材など）を介在させる形態に比べ、より誤差が少ない状態で上下移動する力の伝達が可能となり、かかる部材の経年劣化を考慮する必要が無い分だけ、耐久性を増すことが可能になる。
【００６７】  また、本実施形態では、メインフレーム１０、２０を補助するサブフレーム９０、１００が設けられており、サブフレーム９０、１００によって、折りたたみ時乃至展開時における床面と脚部のよじれ等の問題を解消し、折りたたみ式ベッド１の強度と耐久性を確保できる。これにより、メインフレーム１０、２０の材質選定や、デザイン面の設計自由度を高くすることが可能になる。
【００６８】  なお、バネＺの引っ張り力を使って、ピン状突起１１０を上方向に移動させる形態を説明したが、バネＺなどの弾性体の付勢力以外で、ピン状突起１１０を上方向に移動させる形態であってもよい。例えば、ピン状突起１１０とサブフレーム９０、１００とが磁力で引き寄せ合う関係にあると、下筒部（内筒管部７０）に取り付けられたピン状突起１１０が、メインフレーム１０、２０の傾きが変化する時にサブフレーム９０、１００と接触する位置が変動するものの、磁力によってピン状突起１１０が引き上げられるため、サブフレーム９０、１００との接触は維持される。この場合はバネＺの付勢力は必要とされない。
【００６９】  また、本実施形態は、折りたたみ式の構造体として、メインフレームの上にベッドが配置される折りたたみ式ベッド１を使って説明したが、他の物、例えば、メインフレームの上に板状の天板を配置する折りたたみ式のテーブルや、卓球の板を配置する卓球台に使用することも可能である。
【符号の説明】
【００７０】１  折りたたみ式ベッド
２、３  分割片
１０、２０  メインフレーム
１５、８３  枢軸プレート
１６、１７、１８、１９、８１、８２  枢着点
３０、４０  脚柱
３０Ａ、４０Ａ  垂下管部
３０Ｂ、４０Ｂ  延出管部
３１、４１  枢着点
５０、６０  キャスター
７０  内筒管部
７１  シュー部
７２  調整ネジ
８０  中央脚柱
９０、１００  サブフレーム
１１０  ピン状突起
１２０  外筒管部
１３０  摺動孔
Ｎ  ナット
Ｚ  バネ
【図１】
2012081237.tif 000003
【図２】
2012081237.tif 000004
【図３】
2012081237.tif 000005